(57)【要約】【課題】免許証の色認識によって特定された優良ドライバーに対して特典サービスを提供できるようにする。【解決手段】免許証からデータを読み取って顧客情報としてアプリケーションデータファイル（得意先ファイル）１６内に登録する場合に、色動作設定モジュール１２は、この免許証から読み取ったデータ色に基づいて色動作テーブル１５をアクセスし、優良ドライバーであれば、この優良ドライバーに対する特典サービス（割引率）を色動作テーブル１５から読み出して得意先ファイル１６内に登録する。【選択図】  図１
2005018393.tif 000002
【特許請求の範囲】
【請求項１】
顧客から呈示された免許証からデータを読み取って文字認識すると共に、この認識結果を顧客情報として記憶保管するデータ処理装置であって、
この免許証の所定領域から読み取ったデータ色を認識する色認識手段と、
この色認識手段によって認識されたデータ色によって優良ドライバーか否かを判別する判別手段と、
この判別手段によって優良ドライバーであることが判別された場合に、当該優良ドライバーに対して提供する特典サービスを決定する決定手段と、
を具備したことを特徴とするデータ処理装置。
【請求項２】
文書データを読み取って文字認識すると共に、その認識結果を記憶保管するデータ処理装置であって、
この文書の所定領域に記録されている視覚困難な色パターンを読み取ってそのデータ色を認識する色認識手段と、
この色認識手段によって認識されたデータ色に基づいて当該文書のセキュリティレベルを判別する判別手段と、
この判別手段によって判別されたセキュリティレベルに対応付けて当該文書データを記憶保管するデータ処理手段と、
を具備したことを特徴とするデータ処理装置。
【請求項３】
文書データを読み取って文字認識すると共に、その認識結果を電子メールに添付して送付するデータ処理装置であって、
この文書の所定領域から読み取ったデータ色を認識する色認識手段と、
この色認識手段によって認識されたデータ色に基づいて当該文書の配布先を判別する判別手段と、
この判別手段によって判別された配布先に対して当該文書データを電子メールに添付して送付するデータ処理手段と、
を具備したことを特徴とするデータ処理装置。
【請求項４】
取引時に顧客から呈示された記録媒体からデータを読み取って決済処理を実行するデータ処理装置であって、
この記録媒体に施されている視覚困難な色パターンを読み取ってそのデータ色を認識する色認識手段と、
この色認識手段によって認識されたデータ色に基づいて記録媒体の真偽を判定する判別手段と、
この判定手段によって正規な記録媒体であることが判定されたことを条件に、当該記録媒体を使用しての決済処理を実行するデータ処理手段と、
を具備したことを特徴とするデータ処理装置。
【請求項５】
コンピュータに対して、
顧客から呈示された免許証からデータを読み取って文字認識すると共に、この認識結果を顧客情報として記憶保管する場合に、この免許証の所定領域から読み取ったデータ色を認識する機能と、
認識された免許証のデータ色によって優良ドライバーか否かを判別する機能と、
優良ドライバーであることが判別された場合に、当該優良ドライバーに対して提供する特典サービスを決定する機能と、
を実現させるためのプログラム。
【請求項６】
コンピュータに対して、
文書データを読み取って文字認識すると共に、その認識結果を記憶保管する場合に、この文書の所定領域に記録されている視覚困難な色パターンを読み取ってそのデータ色を認識する機能と、
認識されたデータ色に基づいて当該文書のセキュリティレベルを判別する機能と、
判別されたセキュリティレベルに対応付けて当該文書データを記憶保管する機能と、
を実現させるためのプログラム。
【請求項７】
コンピュータに対して、
文書データを読み取って文字認識すると共に、その認識結果を電子メールに添付して送付する場合に、この文書の所定領域から読み取ったデータ色を認識する機能と、
認識されたデータ色に基づいて当該文書の配布先を判別する機能と、
判別された配布先に対して当該文書データを電子メールに添付して送付する機能と、
を実現させるためのプログラム。
【請求項８】
コンピュータに対して、
取引時に顧客から呈示された記録媒体からデータを読み取って決済処理を実行する場合に、この記録媒体に施されている視覚困難な色パターンを読み取ってそのデータ色を認識する機能と、
認識されたデータ色に基づいて記録媒体の真偽を判定する機能と、
正規な記録媒体であることが判定されたことを条件に、当該記録媒体を使用しての決済処理を実行する機能と、
を実現させるためのプログラム。
【発明の詳細な説明】
【０００１】
【発明の属する技術分野】
この発明は、読取対象物である免許証／文書／決済用の記録媒体から読み取った色データに基づいて所定の処理を実行するようにしたデータ処理装置およびプログラムに関する。
【０００２】
【従来の技術】
近年、光学的文字読取装置（ＯＣＲ）を使用して活字認識を行う認識システムやタブレット上に手書き入力された文字パターンを認識する手書き文字認識システムは、益々その多機能化が進み、例えば、カラーイメージから文字情報を認識したり、色情報も認識可能となり、その利用範囲も広がりつつあるが、主に測定・計測関連分野において利用されている。
また、従来、この種の色認識をデータ処理関係に利用したものとしては、例えば、帳票の画像から複数の特徴量を抽出して登録帳票の特徴量と比較すると共に、この比較結果に基づいて帳票の種別を識別する際に、帳票上の罫線等の物理的な構造のみに限定せずに、キーワード認識結果や色情報等をも含めて比較検討することによって確実な帳票種別を可能とするようにした帳票識別装置が知られている（特許文献１参照）。
【０００３】
【特許文献１】
特開２０００−２８５１９０号公報
【０００４】
【発明が解決しようとする課題】
ところで、何かに色を付けるということは、デザイン上はともかくも、一般的には何らかの意味合いを持たせる為である。したがって、何らかの意味を持った色情報とデータ処理とを有機的に結び付けるようにすれば、データ処理関係においても、色認識の様々な利用が可能となる。
【０００５】
第１の発明の課題は、免許証の色認識によって特定された優良ドライバーに対して特典サービスを提供できるようにすることである。
第２の発明の課題は、文書の色認識によって特定されたセキュリティレベルに応じてその文書を保存できるようにすることである。
第３の発明の課題は、文書の色認識によって特定された配布先に対してその文書を電子メールにて送付できるようにすることである。
第４の発明の課題は、顧客から呈示された決済用の記録媒体の色認識によって記録媒体の真偽を判定できるようにすることである。
【０００６】
【課題を解決するための手段】
請求項１記載の発明（第１の発明）は、顧客から呈示された免許証からデータを読み取って文字認識すると共に、この認識結果を顧客情報として記憶保管するデータ処理装置であって、この免許証の所定領域から読み取ったデータ色を認識する色認識手段と、この色認識手段によって認識されたデータ色によって優良ドライバーか否かを判別する判別手段と、この判別手段によって優良ドライバーであることが判別された場合に、当該優良ドライバーに対して提供する特典サービスを決定する決定手段とを具備するものである。
更に、コンピュータに対して、上述した請求項１記載の発明に示した主要機能を実現させるためのプログラムを提供する（請求項５記載の発明）。
【０００７】
したがって、請求項１、５記載の発明は、免許証から読み取ったデータを顧客情報として自動登録する際に、人為的な判断を要さずに優良ドライバーであるか否かを判別することができる他に、例えば、自動車整備業等において顧客サービスの一環として活用するようにすれば、安全運転志向への高まりを期待することができ、社会貢献と共にサービスの差別化による販売促進も期待することができる。
【０００８】
請求項２記載の発明（第２の発明）は、文書データを読み取って文字認識すると共に、その認識結果を記憶保管するデータ処理装置であって、この文書の所定領域に記録されている視覚困難な色パターンを読み取ってそのデータ色を認識する色認識手段と、この色認識手段によって認識されたデータ色に基づいて当該文書のセキュリティレベルを判別する判別手段と、この判別手段によって判別されたセキュリティレベルに対応付けて当該文書データを記憶保管するデータ処理手段とを具備するものである。
更に、コンピュータに対して、上述した請求項２記載の発明に示した主要機能を実現させるためのプログラムを提供する（請求項６記載の発明）。
【０００９】
したがって、請求項２、６記載の発明は、文書データを読み取って文字認識すると共に、その認識結果を記憶保管する場合に、文書の所定領域に記録されている視覚困難な色パターンを読み取ってそのデータ色を認識し、このデータ色に基づいて判別された文書のセキュリティレベルに対応付けて当該文書データを保存するようにしたから、文書の色認識によって特定されたセキュリティレベルに応じて文書の分類仕分けが可能となる。この場合、重要度等を示すセキュリティレベルは、視覚困難な色パターンによって表されているので、例えば、一般的な文書の中に重要度の高い文書が一部含まれていても、専門部署以外の一般的な社員等にあっては、どの文書がセキュリティ対象であるかを一見しただけでは判断することはできず、重要な文書を一般的な文書と同様に取り扱うことで読取作業の効率化を図ったとしても、セキュリティレベルに応じた分類仕分けが可能となる。
【００１０】
請求項３記載の発明（第３の発明）は、文書データを読み取って文字認識すると共に、その認識結果を電子メールに添付して送付するデータ処理装置であって、この文書の所定領域から読み取ったデータ色を認識する色認識手段と、この色認識手段によって認識されたデータ色に基づいて当該文書の配布先を判別する判別手段と、この判別手段によって判別された配布先に対して当該文書データを電子メールに添付して送付するデータ処理手段とを具備するものである。
更に、コンピュータに対して、上述した請求項３記載の発明に示した主要機能を実現させるためのプログラムを提供する（請求項７記載の発明）。
【００１１】
したがって、請求項３、７記載の発明は、文書データを読み取って文字認識すると共に、その認識結果を電子メールに添付して送付する場合に、この文書の読み取り時にその配布先を決定することができ、配布作業の効率化を促進することが可能となり、特に、配布先数がある程度限られている配布先に対して大量の文書を配布する場合により効果的なものとなる。
【０００１２】
請求項４記載の発明（第４の発明）は、取引時に顧客から呈示された記録媒体からデータを読み取って決済処理を実行するデータ処理装置であって、この記録媒体に施されている視覚困難な色パターンを読み取ってそのデータ色を認識する色認識手段と、この色認識手段によって認識されたデータ色に基づいて記録媒体の真偽を判定する判別手段と、この判定手段によって正規な記録媒体であることが判定されたことを条件に、当該記録媒体を使用しての決済処理を実行するデータ処理手段とを具備するものである。
更に、コンピュータに対して、上述した請求項４記載の発明に示した主要機能を実現させるためのプログラムを提供する（請求項８記載の発明）。
【００１３】
したがって、請求項４、８記載の発明は、取引時に顧客から呈示された記録媒体（例えば、クレジットカード）からデータを読み取って決済処理を実行する場合に、この記録媒体に施されている視覚困難な色パターンを読み取ってそのデータ色を認識すると共に、このデータ色に基づいて記録媒体の真偽を判定し、正規な記録媒体であることが判定されたことを条件に、当該記録媒体を使用しての決済処理を実行するようにしたから、磁気記録データ以外にも色認識によって真偽判定を行うことができ、偽造発見が容易となり、セキュリティ対策上効果なものとなる。この場合、ドット間隔を粗くした微細な色ドットパターンは勿論のこと、紫外線照射によって発色する透明蛍光色のドットパターンを使用するようにすれば、視覚困難となる他に、コスト的にも有利なものとなる。
【００１４】
【発明の実施の形態】
（第１実施形態）
以下、図１〜図４を参照してこの発明の第１実施形態を説明する。
図１は、この実施形態におけるデータ処理装置のの基本的構成要素を示したブロック図である。
このデータ処理装置は、光学的文字読取装置（ＯＣＲ）を備えたパーソナルコンピュータ等であり、このＯＣＲによって読み取られたデータに基づいて文字認識／色認識を行い、この認識結果に基づいてデータ処理を行うようにしたものである。つまり、この第１実施形態におけるデータ処理装置は、自動車整備会社において、顧客が呈示した免許証からデータを読み取って文字認識すると共に、この認識結果を顧客情報として記憶保管する他、免許証の所定領域から読み取ったデータ色に基づいて優良ドライバーか否かを判別し、優良ドライバーである場合には、この優良ドライバーを奨励する為に所定のサービス処理を実行するようにしたものである。
なお、この実施形態の特徴部分を詳述する前に、この実施形態のハードウェア上の構成について以下、説明しておく。
【００１５】
ＣＰＵ１は、オペレーティングシステムや各種アプリケーションソフトにしたがってこのデータ処理装置の全体動作を制御する中央演算処理装置であり、このＣＰＵ１には、各種の入出力周辺デバイスが接続されている。すなわち、ＣＰＵ１には、表示装置２、入力装置３が画面入出力制御部（入出力インターフェイス）４を介して接続され、また、光学的文字読取装置（ＯＣＲ）５がイメージ入力制御部６を介して接続され、更には、プリンタ出力装置７およびモデム制御部８が接続されている。表示装置２は、フルカラー表示を行う液晶表示装置やＣＲＴ表示送信あるいはプラズマ表示装置等であり、また、入力装置５は、キーボードやタッチパネルあるいはマウスやタッチ入力ペン等のポインティングデバイスを構成する操作部である。
【００１６】
そして、このデータ処理装置には、この実施形態の特徴を成す文字／色認識モジュール１１および色動作設定モジュール１２が設けられており、この文字／色認識モジュール１１は、ＯＣＲ５によって読み取られた文字／色データを認識するものである。すなわち、文字／色認識モジュール１１は、ディスク制御部１３を介してＯＣＲ定義ファイル１４をアクセスし、読取対象物（免許証）の構造定義等を参照することによってその読取領域を特定し、この読取領域内の文字／色データを認識するものであり、また、色動作設定モジュール１２は、ディスク制御部１３を介して色動作テーブル１５をアクセスし、色の認識結果に基づいて色動作テーブル１５を検索し、当該色対応のデータ処理を決定するものである。
また、ＣＰＵ１は、文字認識されたデータ（氏名、住所）を顧客情報として取り込み、ディスク制御部１３を介してアプリケーションデータファイル（得意先ファイル）１６に登録するようにしている。
【００１７】
図２（Ａ）は、色動作テーブル１５の内容を示し、（Ｂ）は、アプリケーションデータファイル（得意先ファイル）１６の内容を示した図である。
色動作テーブル１５は、色情報とデータ処理との対応関係を記憶管理するもので、この第１実施形態においては、色情報に対応して料金の割引率が設定されている。この色動作テーブル１５の内容は、自動車整備会社側において任意に設定されたもので、ゴールド色には、割引率「１０％」、青色およびその他には、割引率「０％」が設定されている。ここで、一般に、長年にわたって無事故無違反の優良ドライバーに対して発行された免許証には、その有効期限領域にゴールド色が施されているが、その他のドライバーに対して発行された免許証には、その有効期限領域に青色が施されている。
【００１８】
色動作設定モジュール１２は、免許証の有効期限領域から読み取った色が「ゴールド色」の場合には、割引率「１０％」を読み出し、また、「青色およびその他の色」の場合には、割引率「０％」を読み出して得意先ファイル１６に登録する。
得意先ファイル１６は、顧客毎に、その「得意先コード」、「氏名」、「住所」、「割引率」を記憶管理するもので、「得意先コード」は、免許証からデータを読み取る毎に新規発行された顧客固有の識別情報（一連番号）である。「氏名」、「住所」は、免許証から読み取ったデータを文字認識することによって得られた情報であり、「割引率」は、上述のように色動作テーブル１５から読み出されて設定された情報である。なお、この得意先ファイル１６の内容に基づいて割引き処理を実行する場合、ＣＰＵ１は、ディスク制御部１３を介してアプリケーションスペック１７をアクセスし、割引処理用のアプリケーションを起動させる。
【００１９】
次に、この第１実施形態におけるデータ処理装置の動作概念を図３に示すフローチャートを参照して説明する。ここで、このフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。このことは後述する他の実施形態においても同様であり、記録媒体の他、伝送媒体を介して外部供給されたプログラム／データを利用してこの実施形態特有の動作を実行することもできる。
【００２０】
図３は、免許証から読み取ったデータを得意先ファイル１６に登録する際の全体動作を示したフローチャートであり、図４は、その動作概要を図式化したものである。
先ず、ＣＰＵ１は、初期化処理として、ＯＣＲ定義ファイル１４に免許証の構造定義等を設定したり、アプリケーションスペック１７に割引処理用のアプリケーションを設定した後、色動作テーブル１５の内容を読み出しておく（ステップＡ１）。このような初期化処理を行った後、ＣＰＵ１は、免許証の読取指示がある毎に、ＯＣＲ５、文字／色認識モジュール１１、色動作設定モジュール１２を起動させる。
【００２１】
ここで、顧客から免許証が呈示された際に、ＯＣＲ定義ファイル１４によって読取対象として特定された免許証内の「氏名欄」、「住所欄」、「有効期限欄」がＯＣＲ５によって読み取られると、文字／色認識モジュール１１は、「氏名欄」、「住所欄」内の情報を文字認識すると共に、「有効期限欄」に施されている色を認識する（ステップＡ２）。そして、ＣＰＵ１は、文字認識されたデータに基づいて得意先ファイル１６をアクセスし、同一の氏名および住所が登録済みか否かを判別し（ステップＡ３）、未登録であれば、新規顧客であると判断して得意先コードを生成すると共に、この得意先コードを含む顧客レコードを生成し、この生成レコード内に「氏名」、「住所」を新規登録するが、例えば、住所が変更されている場合には、今回読み取った「住所」を新住所として該当顧客レコード内にセットしてその書き換えを行う（ステップＡ４）。
【００２２】
次に、色動作設定モジュール１２は、免許証の「有効期限欄」に施されている色が文字／色認識モジュール１１によって認識されると、この免許証の色（有効期限欄の色）を取得し（ステップＡ５）、この色に基づいて色動作テーブル１５を検索して対応する割引率を読み出し（ステップＡ６）、得意先ファイル１６内の該当する顧客レコード内に割引率をすることによって毎回、割引率の更新（書き換え）を行う（ステップＡ７）。
なお、会計時において、ＣＰＵ１は、アプリケーションスペック１７をアクセスして割引処理用のアプリケーションを起動させる。この場合、得意先ファイル１６内に新規登録／更新登録された顧客レコードを参照し、その顧客が割引き対象であれば、この割引率に応じた金額分を今回の料金から値引く割引処理を行う。
【００２３】
以上のように、この第１実施形態において、免許証からデータを読み取って顧客情報として得意先ファイル１６内に登録する場合に、色動作設定モジュール１２は、この免許証から読み取ったデータ色に基づいて色動作テーブル１５をアクセスし、優良ドライバーであれば、この優良ドライバーに対する特典サービス（割引率）を色動作テーブル１５から読み出して得意先ファイル１６内に登録するようにしたから、免許証から読み取ったデータを顧客情報として自動登録する際に、人為的な判断を要さずに優良ドライバーであるか否かを判別することができる。この場合、顧客サービスによって安全運転志向への高まりを期待することができ、社会貢献と共にサービスの差別化による販売促進も期待することができる。
【００２４】
なお、上述した第１実施形態においては、色動作テーブル１５内に色に対応して割引率を設定するようにしたが、優良ドライバーに対する特典サービスとしては、割引率に限らず、例えば、値引き額の他に、商品券、クーポン券、招待券の発行するようにしてもよく、そのサービス内容は任意である。
また、上述した第１実施形態においては、自動車整備業において適用した場合を例示したが、自動車部品の販売業等にも勿論適用可能である。
【００２５】
また、顧客から免許証が呈示される毎に、前回呈示された免許証の色と今回呈示された免許証の色とを比較し、ゴールド色のままであれば、更に、特典サービスを提供するようにしてもよい。つまり、優良ドライバーとして認定された期間を顧客別に累計管理し、長期間にわたって優良ドライバーである場合には、その期間に応じた特典サービスを提供するようにしてもよい。
【００２６】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。すなわち、コンピュータが読み取り可能なプログラムコードを有する記録媒体であって、顧客から呈示された免許証からデータを読み取って文字認識すると共に、この認識結果を顧客情報として記憶保管する場合に、この免許証の所定領域から読み取ったデータ色を認識する機能と、認識された免許証のデータ色によって優良ドライバーか否かを判別する機能と、優良ドライバーであることが判別された場合に、当該優良ドライバーに対して提供する特典サービスを決定する機能とを実現させるためのプログラムを記録したコンピュータが読み取り可能な記録媒体を提供するようにしてもよい。
【００２７】
（第２実施形態）
以下、この発明の第２実施形態について図５〜図７を参照して説明する。
この第２実施形態においては、文書の色認識によってセキュリティレベルを特定し、セキュリティレベルに応じてその文書データを保管するようにしたものである。また、文書の色認識によって文書の配布先を特定し、この配布先に対してその文書データを添付した電子メールを送付するようにしたものである。
ここで、第１実施形態と第２実施形態において基本的に同一のものは、同一符号を付して示し、その説明を省略する他、以下、第２実施形態の特徴部分を中心に説明するものとする。
【００２８】
図５は、この第２実施形態における色動作設定モジュール１２の動作概要を図式化した図である。
ここで、文書印刷物の所定領域（図示の例では、右側上部）には、視覚困難な色パターンが印刷されている。この色パターンは、単一色あるいは混合色を問わないが、そのドット間隔を粗くした微細な色ドットパターンであり、視覚困難な構成となっている。そして、この色パターンは、文書の重要度等に応じてその文書のセキュリティレベルを示すと共に、その文書を電子メールに添付して配布する際の配布先を示すものである。
【００２９】
このような色パターンが施されている文書印刷物がＯＣＲ５によって読み取られると、文字／色認識モジュール１１は、ディスク制御部１３を介してＯＣＲ定義ファイル１４をアクセスし、読取対象物（文書印刷物）の構造定義等を参照してその読取領域を特定し、この読取領域内の文字／色データを認識する。これによって文字認識された文書データは、ディスク制御部１３を介してアプリケーションデータファイル（文書ファイル）１６に保存されるが、その際、色動作設定モジュール１２は、ディスク制御部１３を介して色動作テーブル１５をアクセスする。この場合、色の認識結果に基づいて色動作テーブル１５を検索し、その色に対応付けられているセキュリティレベルを決定すると共にメールの配布先を決定するようにしている。
【００３０】
図６は、第２実施形態における色動作テーブル１５の内容を示した図である。
この色動作テーブル１５は、文書印刷物の所定領域に施されている視覚困難な色パターンに対応して、「色情報」、「セキュリティレベル」、「メール配布先」が設定されている構成となっている。例えば、赤色の場合には、そのセキュリティレベルおよび配布先として「課長以上」が設定され、青色の場合には、セキュリティレベルとして「部長以上」、配布先として「常務以上」が設定され、その他の色の場合には、セキュリティレベルとして「制限なし」が設定され、配布先として「配布不要（なし）」が設定されている。
このような構成の色動作テーブル１５を参照することによって色動作設定モジュール１２は、その文書のセキュリティレベルに応じてその文書データを保管したり、文書データのメール配布先を決定する。
【００３１】
図７は、文書印刷物から読み取った文書データに基づいて文書管理業務を行う場合の動作示したフローチャートである。
先ず、ＣＰＵ１は、初期化処理として、ＯＣＲ定義ファイル１４に文書の構造定義等を設定したり、アプリケーションスペック１７に文書保管処理やメール配布処理用のアプリケーションを設定した後、色動作テーブル１５の内容を読み出しておく（ステップＢ１）。このような初期化処理を行った後、ＣＰＵ１は、文書の読取指示がある毎に、ＯＣＲ５、文字／色認識モジュール１１、色動作設定モジュール１２を起動させる。
【００３２】
ここで、文書印刷物の読み取りが開始され、ＯＣＲ定義ファイル１４によって読取対象として特定された文書内の指定領域がＯＣＲ５によって読み取られると、文字／色認識モジュール１１は、指定領域内のデータを文字認識すると共に、当該文書の右上部に施されている視覚困難な色パターンを認識する（ステップＢ２）。色動作設定モジュール１２は、文字／色認識モジュール１１によって認識された色データを取得し（ステップＢ３）、この色データに基づいて色動作テーブル１５をアクセスしてその色に対応付けられているセキュリティレベルを読み出す（ステップＢ４）。いま、文書の色パターンが赤色、青色であれば、色動作テーブル１５にはセキュリティレベルが設定されているので（ステップＢ５でＮＯ）、この色動作テーブル１５から読み出したセキュリティレベル別にその文書データを文書ファイル１６内に保存するが（ステップＢ６）、赤、青以外の色であれば、当該色対応のセキュリティレベルは設定されていないので（ステップＢ５でＹＥＳ）、セキュリティレベル無しの文書データとして文書ファイル１６内に保存する（ステップＢ７）。したがって、各種の文書は、セキュリティレベル別に分類仕分けされて文書ファイル１６内に保存されることなる。
【００３３】
次に、色動作設定モジュール１２は、認識色に対応付けられている「メール配布先」を色動作テーブル１５から読み出す（ステップＢ８）。ここで、文書の色パターンが赤、青であれば、色動作テーブル１５には「メール配布先」が設定されているので（ステップＢ９でＮＯ）、この色動作テーブル１５から読み出した「メール配布先」を宛先とする電子メールに当該文書データを添付して送信するが（ステップＢ１０）、赤、青以外の色であれば、「メール配布先」は設定されていないので（ステップＢ９でＹＥＳ）、当該文書のメール配布は行われない。
【００３４】
以上のように、この第２実施形態においては、文字／色認識モジュール１１によって文書データが文字認識されると共に、この文書の所定領域に施されている視覚困難な色パターンが認識されると、色動作設定モジュール１２は、この色に対応するセキュリティレベルを色動作テーブル１５から読み出し、このセキュリティレベルに応じて文書データを記憶保管するようにしたから、文書の色認識によって特定されたセキュリティレベルに応じて文書の分類仕分けが可能となる。この場合、重要度等を示すセキュリティレベルは、視覚困難な色パターンによって表されているので、例えば、一般的な文書の中に重要度の高い文書が一部含まれていても、専門部署以外の一般的な社員等にあっては、どの文書がセキュリティ対象であるかを一見しただけでは判断することはできず、重要な文書を一般的な文書と同様に取り扱うことで読取作業の効率化を図ったとしても、セキュリティレベルに応じた分類仕分けが可能となる。
【００３５】
また、文書データを読み取って電子メールに添付して送付する場合に、この文書の所定領域から読み取った色パターンが認識されると、この色に対応するメール配布先を色動作テーブル１５から読み出し、この配布先に対して当該文書データを電子メールに添付して送付するようにしたから、文書の読み取り時にその配布先を決定することができ、配布作業の効率化を促進することが可能となり、特に、配布先数がある程度限られている配布先に対して大量の文書を配布する場合により効果的なものとなる。
【００３６】
なお、上述した第２実施形態においては、セキュリティレベルおよびメール配布先として２種類の場合を例示したが、勿論、色情報の数を増やすことによってセキュリティレベルおよびメール配布先を３種類以上としてもよい。
また、上述した第２実施形態においては、文書印刷物の右上部に色パターンを施すようにしたが、このような専用領域に色パターンを施す場合に限らず、例えば、タイトル等の特定文字に色パターンを混ぜ合わせて施すようにしてもよい。
【００３７】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。すなわち、コンピュータが読み取り可能なプログラムコードを有する記録媒体であって、文書データを読み取って文字認識すると共に、その認識結果を記憶保管する場合に、この文書の所定領域に記録されている視覚困難な色パターンを読み取ってそのデータ色を認識する機能と、認識されたデータ色に基づいて当該文書のセキュリティレベルを判別する機能と、判別されたセキュリティレベルに対応付けて当該文書データを記憶保管する機能とを実現させるためのプログラムを記録したコンピュータが読み取り可能な記録媒体を提供するようにしてもよい。
【００３８】
また、コンピュータが読み取り可能なプログラムコードを有する記録媒体であって、文書データを読み取って文字認識すると共に、その認識結果を電子メールに添付して送付する場合に、この文書の所定領域から読み取ったデータ色を認識する機能と、認識されたデータ色に基づいて当該文書の配布先を判別する機能と、判別された配布先に対して当該文書データを電子メールに添付して送付する機能とを実現させるためのプログラムを記録したコンピュータが読み取り可能な記録媒体を提供するようにしてもよい。
【００３９】
（第３実施形態）
以下、この発明の第３実施形態について図８〜図１０を参照して説明する。
この第３実施形態においては、顧客から呈示されたクレジットカードの色認識によってカードの真偽を判定して決済処理を行うようにしたものである。
ここで、第１実施形態と第３実施形態において基本的に同一のものは、同一符号を付して示し、その説明は省略するものとする。
【００４０】
図８は、この第３実施形態における色動作設定モジュール１２の動作概要を図式化した図である。
ここで、クレジットカードの所定領域（図示の例では、右側上部）には、視覚困難な色パターンが印刷されている。この色パターンは、単一色あるいは混合色を問わないが、そのドット間隔を粗くした微細な色ドットパターンであり、視覚困難な構成となっている。
【００４１】
そして、この色パターンは、正当（真正）なカードであるか否かを判定する為に施されたものであり、このカードの所定領域がＯＣＲ５によって読み取られると、文字／色認識モジュール１１は、ディスク制御部１３を介してＯＣＲ定義ファイル１４をアクセスし、読取対象物（クレジットカード）の構造定義等を参照してその読取領域を特定し、この読取領域内の色データを認識する。その際、色動作設定モジュール１２は、ディスク制御部１３を介して色動作テーブル１５をアクセスすることによってカードの偽造判定を行うようにしている。なお、クレジットカード内の磁気記録データは、通常の磁気読取装置（図とせず）によって読み取られる。
【００４２】
図９は、第３実施形態における色動作テーブル１５の内容を示した図である。
この色動作テーブル１５は、クレジットカードの所定領域に施されている視覚困難な色パターンに対応して、「色情報」、「偽造判定結果」が設定されている構成となっている。すなわち、黄色の場合には、真正なカード「ＯＫ」、その他の色の場合には、偽造カード「ＮＧ」が設定されている。このような構成の色動作テーブル１５を参照することによって色動作設定モジュール１２は、そのカードに施されている視覚困難な色パターンに基づいてカードの真偽を判定する。
【００４３】
図１０は、クレジットカードから読み取った色パターンに基づいて偽造判定を行う場合の動作示したフローチャートである。
先ず、ＣＰＵ１は、初期化処理として、ＯＣＲ定義ファイル１４にクレジットカードの構造定義等を設定したり、アプリケーションスペック１７に偽装判定処理用のアプリケーションを設定した後、色動作テーブル１５の内容を読み出しておく（ステップＣ１）。このような初期化処理を行った後、ＣＰＵ１は、カードの読取指示がある毎に、ＯＣＲ５、文字／色認識モジュール１１、色動作設定モジュール１２を起動させる。
【００４４】
ここで、カードの読み取りが開始され、ＯＣＲ定義ファイル１４によって読取対象として特定された指定領域がＯＣＲ５によって読み取られると、文字／色認識モジュール１１は、指定領域内に施されている視覚困難な色パターンを認識する（ステップＣ２）。色動作設定モジュール１２は、文字／色認識モジュール１１によって認識された色データを取得し（ステップＣ３）、この色データに基づいて色動作テーブル１５をアクセスし、この色に対応付けられている「偽造判定結果」を読み出す（ステップＣ４）。いま、カードが黄色であれば、「偽造判定結果」として「ＯＫ」が読み出される為に（ステップＣでＮＯ）、真正なカードであると判定して決済処理を行うが（ステップＣ６）、その他の色であけば、「偽造判定結果」として「ＮＧ」が読み出される為（ステップＣ５でＹＥＳ）、偽造カードである旨の警告表示が行われる（ステップＣ７）。
【００４５】
以上のように、この第３実施形態においては、取引時に顧客から呈示されたクレジットカードからデータを読み取って決済処理を実行する場合に、このカードに施されている視覚困難な色パターンを読み取ってそのデータ色を認識すると共に、このデータ色に基づいてカードの真偽を判定し、真正なカードであることを条件に、当該カードを使用しての決済処理を実行するようにしたから、磁気記録データ以外にも色認識によってカードの真偽を判定することができ、偽造カードの発見が容易となり、セキュリティ対策上効果なものとなる。
【００４６】
なお、上述した第３実施形態においては、クレジットカードを例示すると共に、このクレジットカードに施された視覚困難な色パターンとして、ドット間隔を粗くした微細な色ドットパターンを例示したが、カード型に限らず、棒状の記録媒体等であってもよく、その形状は任意であり、また、視覚困難な色パターンとしては、例えば、紫外線照射によって発色する透明蛍光色のドットパターンを使用するようにしてもよい。
【００４７】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。すなわち、コンピュータが読み取り可能なプログラムコードを有する記録媒体であって、取引時に顧客から呈示された記録媒体からデータを読み取って決済処理を実行する場合に、この記録媒体に施されている視覚困難な色パターンを読み取ってそのデータ色を認識する機能と、認識されたデータ色に基づいて記録媒体の真偽を判定する機能と、正規な記録媒体であることが判定されたことを条件に、当該記録媒体を使用しての決済処理を実行する機能とを実現させるためのプログラムを記録したコンピュータが読み取り可能な記録媒体を提供するようにしてもよい。
【００４８】
また、上述した各実施形態におけるデータ処理装置は、スタンド・アローン・タイプに限らず、その各構成要素が２以上の筐体に物理的に分離され、通信回線やケーブル等の有線伝送路あるいは電波、マイクロウエーブ、赤外線等の無線伝送路を介してデータを送受信する分散型のコンピュータシステムを構成するものであってもよい。
【００４９】
【発明の効果】
第１の発明（請求項１記載の発明）によれば、免許証から読み取ったデータを顧客情報として自動登録する際に、人為的な判断を要さずに優良ドライバーであるか否かを判別することができる他に、例えば、自動車整備業等において顧客サービスの一環として活用するようにすれば、安全運転志向への高まりを期待することができ、社会貢献と共にサービスの差別化による販売促進も期待することができる。
第２の発明（請求項２記載の発明）によれば、文書の色認識によって特定されたセキュリティレベルに応じて文書の分類仕分けが可能となる。この場合、重要度等を示すセキュリティレベルは、視覚困難な色パターンによって表されているので、例えば、一般的な文書の中に重要度の高い文書が一部含まれていても、専門部署以外の一般的な社員等にあっては、どの文書がセキュリティ対象であるかを一見しただけでは判断することはできず、重要な文書を一般的な文書と同様に取り扱うことで読取作業の効率化を図ったとしても、セキュリティレベルに応じた分類仕分けが可能となる。
第３の発明（請求項３記載の発明）によれば、文書データを読み取って文字認識すると共に、その認識結果を電子メールに添付して送付する場合に、この文書の読み取り時にその配布先を決定することができ、配布作業の効率化を促進することが可能となり、特に、配布先数がある程度限られている配布先に対して大量の文書を配布する場合により効果的なものとなる。
第４の発明（請求項４記載の発明）によれば、取引時に顧客から呈示された記録媒体からデータを読み取って決済処理を実行する場合に、この記録媒体に施されている視覚困難な色パターンを読み取ってそのデータ色を認識すると共に、このデータ色に基づいて記録媒体の真偽を判定し、正規な記録媒体であることが判定されたことを条件に、当該記録媒体を使用しての決済処理を実行するようにしたから、通常の磁気記録データ以外にも色認識によってカードの真偽を判定することができ、偽造発見が容易となり、セキュリティ対策上効果なものとなる。
【図面の簡単な説明】
【図１】データ処理装置のの基本的構成要素を示したブロック図。
【図２】（Ａ）は、色動作テーブル１５の内容を示し、（Ｂ）は、アプリケーションデータファイル（得意先ファイル）１６の内容を示した図。
【図３】免許証から読み取ったデータを得意先ファイル１６に登録する際の全体動作を示したフローチャート。
【図４】免許証から読み取ったデータを得意先ファイル１６に登録する際の動作概要を図式化したものである。
【図５】第２実施形態における色動作設定モジュール１２の動作概要を図式化した図。
【図６】第２実施形態における色動作テーブル１５の内容を示した図。
【図７】第２実施形態において、文書印刷物から読み取った文書データに基づいて文書管理業務を行う場合の動作示したフローチャート。
【図８】第３実施形態における色動作設定モジュール１２の動作概要を図式化した図。
【図９】第３実施形態における色動作テーブル１５の内容を示した図。
【図１０】第３実施形態において、クレジットカードから読み取った色パターンに基づいて偽造判定を行う場合の動作示したフローチャート。
【符号の説明】
１  ＣＰＵ
２  表示装置
３  入力装置
５  ＯＣＲ
１１  文字／色認識モジュール
１２  色動作設定モジュール
１４  ＯＣＲ定義ファイル
１５  色動作テーブル
１６  アプリケーションデータファイル（得意先ファイル、文書ファイル）
１７  アプリケーションスペックファイル
【図１】
2005018393.tif 000003
【図２】
2005018393.tif 000004
【図３】
2005018393.tif 000005
【図４】
2005018393.tif 000006
【図５】
2005018393.tif 000007
【図６】
2005018393.tif 000008
【図７】
2005018393.tif 000009
【図８】
2005018393.tif 000010
【図９】
2005018393.tif 000011
【図１０】
2005018393.tif 000012